(57)【特許請求の範囲】
【請求項１】
原稿情報読取位置を通る所定の搬送経路で原稿を搬送する搬送手段を有する原稿読取装置において、
前記搬送経路の原稿情報読取位置より上流側に原稿の原稿面を清掃する清掃手段を設け、
前記清掃手段が、表面が吸湿性の材質で形成された清掃ローラと、前記清掃ローラに原稿を押し付ける加圧部材とを備え、
前記加圧部材が、原稿搬送方向の上流側および下流側で開口するようになっていることを特徴とする画像読取装置。
【請求項２】
原稿情報読取位置を通る所定の搬送経路で原稿を搬送する搬送手段を有する原稿読取装置において、
前記搬送経路の原稿情報読取位置より上流側に原稿の原稿面を清掃する清掃手段を設け、
前記清掃手段が、原稿が搬入される上流側が開き、下流側が閉じるように形成された清掃板と、
前記清掃板の下流側に接するように形成された加圧部材と、
前記清掃板と加圧部材の間に介在し、吸湿性の材質で形成されたシートと、を有し、
前記シートの一端が、前記清掃板の下流側で原稿面に接するよう前記清掃板に貼付けられたことを特徴とする画像読取装置。
【発明の詳細な説明】
【０００１】
【発明の属する技術分野】
本発明は、ファクシミリ装置やデジタル複写機等における画像読取装置に関し、詳しくは、原稿面を清掃する清掃機構を有する画像読取装置に関する。
【０００２】
【従来の技術】
近時、ファクシミリ等の画像読取装置にあっては、多機能化するにつれて、小型化された画像読取機構を有するものの需要が増えている。このため、コンタクトガラスに密着型の読取センサーを使用し、小型化を達成したものが多くなっている。
【０００３】
この従来の画像読取装置にあっては、密着センサーの、内部に使っているレンズの焦点深度が浅いため、原稿を密着センサーの読取位置から離すと読取性能が低下し、画像がボケたりするので、原稿を該センサーの読取部に押し付けながら搬送するようになっている。
また、上記の従来技術に加え、画像を鮮明に読取る読取性能を安定維持可能な画像読取装置の需要も増えており、例えば、特開平６−１８９０９２号公報（以下、公報１という）や、特開平７−２１２５４５号公報（以下、公報２という）に記載されるような装置が提案されている。
【０００４】
公報１に記載されたものでは、原稿読取位置より上流側に白基準面の汚れを防止するための汚れ防止シートが設けられており、白基準面は、汚れ防止シートの厚み分だけ読取位置の近傍でくぼみとなって、原稿と接触しないようになっている。このため、原稿裏面に鉛筆で書いた情報が汚れとなって白基準面に付くことなく、又擦ることによるキズも付かないようになっている。
【０００５】
公報２に記載されたものでは、画像読取部を通過する原稿は、読取ヘッド端面を構成するガラス面と押え部材とにより挟まれながら画像を読取られ、該押え部材は読取位置の上流側に向かって開き、下流側に向かって閉じてガラス面に最下部で接触するように傾斜している。したがって、原稿とともに入る塵埃が下流に流れて面に付着および溜ることなく原稿読取が忠実に行えるようになっている。
【０００６】
【発明が解決しようとする課題】
しかしながら、上述のような従来の画像読取装置にあっては、原稿面に渇いていないボールペンのインクや修正液等があった場合、それが読取部に付着してしまう。この結果、読取センサーが、その付着物を情報として読み込んでしまい、コピー出力や相手側のファクシミリ等のアウトプット時において黒筋や白筋が出るという問題点が生ずるばかりか、画像読取装置の耐久性も低下していた。
【０００７】
そこで、本発明は、原稿画像の読取部に、インクや修正液等が付着するのを防止して、読取性能や耐久性に優れた画像読取装置を提供することを目的とする。
【０００８】
【課題を解決するための手段】
請求項１記載の発明は、上記課題を解決するため、原稿情報読取位置を通る所定の搬送経路で原稿を搬送する搬送手段を有する原稿読取装置において、前記搬送経路の原稿情報読取位置より上流側に原稿の原稿面を清掃する清掃手段を設け、前記清掃手段が、表面が吸湿性の材質で形成された清掃ローラと、前記清掃ローラに原稿を押し付ける加圧部材とを備え、前記加圧部材が、原稿搬送方向の上流側および下流側で開口するようになっていることを特徴とする。
【０００９】
請求項２記載の発明は、上記課題を解決するため、原稿情報読取位置を通る所定の搬送経路で原稿を搬送する搬送手段を有する原稿読取装置において、前記搬送経路の原稿情報読取位置より上流側に原稿の原稿面を清掃する清掃手段を設け、前記清掃手段が、原稿が搬入される上流側が開き、下流側が閉じるように形成された清掃板と、前記清掃板の下流側に接するように形成された加圧部材と、前記清掃板と加圧部材の間に介在し、吸湿性の材質で形成されたシートと、を有し、前記シートの一端が、前記清掃板の下流側で原稿面に接するよう前記清掃板に貼付けられたことを特徴とする。
【００１０】
【発明の実施の形態】
以下、本発明の実施形態を図面を基づいて説明する。
図１〜２は、本発明に係わる画像読取装置の第一実施形態を示す図であり、請求項１に対応している。本発明の画像読取装置にファクシミリ装置を適用している。なお、画像読取装置としては、ファクシミリ装置の他に複写機等を適用することができる。
【００１１】
構成を説明する。図１、２において、１は、ファクシミリ装置であり、２は、原稿情報読取位置（コンタクトガラス９ａ上）を通る所定の搬送経路で原稿を搬送する搬送手段である。３は、複数の原稿を載置可能な原稿載置台であり、４は、その複数の原稿のうち、最上位にある原稿群を呼出可能な呼出コロである。５は、呼出コロ４によって呼び出された原稿群を一枚の原稿Ｐ1のみに分離する上下の分離コロであり、各々、図中時計方向に回転するようになっている。６ａ、６ｂは、分離コロ５によって分離された原稿Ｐ1を読取位置に搬送する搬送コロであり、搬送コロ６ａの下流側に搬送コロ６ｂが設けられている。また、９は、読取位置において、原稿Ｐ1を読み取る読取センサーであり、上部にコンタクトガラス９ａを有している。コンタクトガラス９ａの上部には、原稿Ｐ1を読取センサー９の上面に押し付ける圧板として機能するとともに白基準面となる白圧板１３が設けられている。１１は、原稿情報読取位置から原稿Ｐ1を排紙可能な第１排紙コロであり、１２は、第１排紙コロ１１によって排紙された原稿Ｐ1を載置する排紙載置台ある。なお、このような全体の概略構成は公知であり、個々の構成部材についての具体的な説明や個々の構成部材の制御についての説明は省略する。
【００１２】
１０は、図２において、搬送経路の原稿情報読取位置と第２搬送コロ６ｂとの間に設けられ、原稿Ｐ1の原稿面を清掃する第１清掃手段である。この第１清掃手段１０は、清掃ローラ７と、第１加圧部材８と、から構成されている。清掃ローラ７は、表面７ａが吸湿性の材質で形成された原稿面清掃用のローラである。この清掃ローラ７は、原稿面に渇いていないボールペンのインクや修正液等の付着物がある場合にこれを吸着するようになっており、容易に着脱可能になっている。８は、清掃ローラ７の上面に設けられ、原稿Ｐ1を清掃ローラ７に押し付ける第１加圧部材ある。この第１加圧部材８は、清掃ローラ７と第１加圧部材８の間に原稿Ｐ1を挿入し易くするため、原稿搬送方向の上流側で開口し、下流側でも開口するようにくの字状に湾曲している。第１清掃手段１０は、清掃ローラ７と第１加圧部材８により、搬送経路の原稿情報読取位置の上流側で、前記付着物のコンタクトガラス９ａ上への侵入を防止することができる。
【００１３】
図１において、２１は、保持部材２２によって保持された記録紙Ｐ2となるぺパーロールであり、２４は、カッターである。カッター２４は、ぺパーロール２１から第３搬送コロ２３ａおよび第４搬送コロ２３ｂによって搬送されるぺパーを所定の位置で切断し、記録紙Ｐ2を形成するものである。記録紙Ｐ2は、第５搬送コロ２５ａ、第６搬送コロ２５ｂ、レジストローラ２７によって後述する画像転写位置に搬送される。２６は、搬送されてきたＰ2の先端の位置を検知するレジストセンサである。
【００１４】
３０は、光導電性を有する感光体ドラムであり、３４は、この感光体ドラム３０の表面に対向する帯電ユニットである。感光体ドラム３０は図中時計方向に回転し、帯電ユニット３４によって一様に所定電圧に帯電された後、露光系からの露光像３２によって露光されようになっており、この露光により感光体ドラム３０上に静電潜像が形成される。感光体ドラム３０上に形成された静電潜像は、トナーマガジン２８内のトナーを現像コロ２９を介して付着されて現像され、顕像（トナー像）となる。２７はレジストローラであり、レジストローラ２７は感光体ドラム３０とコロナ転写ユニット３１の間に記録紙Ｐ2を給紙する。前記感光体ドラム３０上のトナー像はコロナ転写ユニット３１によってこの記録紙Ｐ2に転写される。この転写の後、感光体ドラム３０上に残留した残トナーはクリーニングユニット３３によって除去され、感光体ドラム３０は次の複写工程のために再度帯電されて初期化される。一方、記録紙Ｐ2上に転写されたトナー像は定着ユニット３５によって熱定着され、記録紙Ｐ2はその後第２排紙コロ４０によって排紙トレー４１上に排紙される。なお、このような全体の概略構成は公知であり、個々の構成部材についての具体的な説明は省略する。
【００１５】
上記のような構成により、原稿載置台３に載置された原稿束は、最上位の原稿Ｐ1に分離され、搬送コロ６ａ、６ｂによって読取センサー９のコンタクトガラス９ａ上に搬送される。このとき、コンタクトガラス９ａ上に原稿Ｐ1が搬入する直前で清掃手段１０の清掃ローラ７は、原稿Ｐ1と接触することによって、原稿面に渇いていないボールペンのインクや修正液等があるとき、その付着物を吸着する。よって、原稿情報読取位置へのその付着物の侵入を防止することができる。この結果、その付着物を情報として読み込んでしまい、コピー出力や相手側ファクシミリ等のアウトプット時において黒筋や白筋として現像してしまうことを防止することができる。さらに、清掃ローラ７を容易に着脱ができる構成になっているため、清掃ローラ７の交換を容易にできる。
【００１６】
次いで、上述の第一実施形態の第二実施形態として、図３に示す。この第二実施形態は、請求項２に対応している。
図３において、５０は、第２清掃手段であり、清掃板５７と、第２加圧部材５８と、シート５９と、で構成されている。５７は、原稿が搬入される上流側が開き、下流側が閉じるように形成された清掃板である。５８は、清掃板５７の下流側に接するように形成された第２加圧部材である。５９は、清掃板５７と第２加圧部材５８の間に介在し、吸湿性の材質で形成されたシートであり、この一端が、清掃板５７の下流側で原稿面に接するよう清掃板５７に貼付けられている。図３中における前記以外の部材についての説明は、第一実施形態と説明が重複するため説明を省略する。このような構成によって、シート５９は、上述の付着物を吸着することができ、原稿情報読取位置に付着物の侵入を防止することができる。さらに、シート５９は、容易に着脱ができる構成になっているため、交換を容易にできる。また、簡単な構成なので、低コストで第２清掃手段５０を構成することができる。
【００１７】
【発明の効果】
請求項１に記載の発明によれば、原稿面に渇いていないボールペンのインクや修正液等の付着物が付着していても搬送経路の原稿情報読取位置より上流側で、原稿情報読取位置にその付着物の侵入を防止することができる。このため、その付着物を情報として読み込んでしまい、コピー出力や相手側ファクシミリ等のアウトプット時において黒筋や白筋として現像してしまうことを防止することができる。
また、加圧部材により原稿面が清掃ローラに押し付けられることにより、前記付着物を吸着することができ、さらに、清掃ローラを容易に着脱ができる構成になっているため、清掃ローラの交換を容易にできる。
【００１８】
請求項２に記載の発明によれば、原稿面に渇いていないボールペンのインクや修正液等の付着物が付着していても搬送経路の原稿情報読取位置より上流側で、原稿情報読取位置にその付着物の侵入を防止することができる。このため、その付着物を情報として読み込んでしまい、コピー出力や相手側ファクシミリ等のアウトプット時において黒筋や白筋として現像してしまうことを防止することができる。
また、シートは、前記付着物を吸着することができ、原稿情報読取位置に付着物の侵入を防止することができる。さらに、シートは、容易に着脱ができる構成になっているため、交換を容易にできる。また、簡単な構成なので、低コストで清掃手段を構成することができる。
【図面の簡単な説明】
【図１】本発明の画像読取装置の第一実形態の概略図である。
【図２】図１の要部を示す断面図である。
【図３】本発明の画像読取装置の第二実施形態を示す要部の断面図である。
【符号の説明】
２    搬送手段
７    清掃ローラ
８    第１加圧部材（加圧部材）
１０  第１清掃手段（清掃手段）
５０  第２清掃手段（清掃手段）
５７  清掃板
５８  第２加圧部材（加圧部材）
５９  シート
【図１】
0003652489.tif 000002
【図２】
0003652489.tif 000003
【図３】
0003652489.tif 000004